(57)【要約】【課題】電池を作業温度まで加熱するとともに、電池の作業効率および寿命を向上させることのできる電池に応用する加熱モジュールを提供する。【解決手段】第１の面１１１、および第１の面１１１の反対側にある第２の面１１２を有する加熱デバイス１１と、底座１３２と、該底座１３２の一方の面から軸方向に延伸する複数の放熱フィン１３０とを有するとともに、底座１３２の他方の面が第１の面１１１に連接している放熱ユニット１３と、を含み、放熱ユニット１３と電池モジュール２との間に対流空間４が規定されている。【選択図】図３
0003170883.tif 000002
【実用新案登録請求の範囲】
【請求項１】
電池モジュールを加熱する電池に応用する加熱モジュールであって、
第１の面、および前記第１の面の反対側にある第２の面を有する加熱デバイスと、
底座と、該底座の一方の面から軸方向に延伸する複数の放熱フィンとを有するとともに、前記底座の他方の面が前記第１の面に連接している放熱ユニットと、
を含み、
前記放熱ユニットと前記電池モジュールとの間に対流空間が規定されていることを特徴とする電池に応用する加熱モジュール。
【請求項２】
前記底座は、前記他方の面に吸熱部を有し、
前記吸熱部に前記第１の面が付着され、前記複数の放熱フィンは放熱部を規定していることを特徴とする請求項１に記載の電池に応用する加熱モジュール。
【請求項３】
前記放熱ユニットの前記複数の放熱フィンに吸入側が嵌合されるとともに、前記吸入側の反対側に位置する放出側が前記電池モジュールに対向するファンを、さらに含むことを特徴とする請求項２に記載の電池に応用する加熱モジュール。
【請求項４】
前記放熱ユニットは、放熱器と放熱フィンユニットとのいずれかであることを特徴とする請求項１に記載の電池に応用する加熱モジュール。
【請求項５】
前記加熱デバイスは、サーミスタ、石英加熱器、PTCサーミスタ、加熱集積回路のいずれか一つであることを特徴とする請求項１に記載の電池に応用する加熱モジュール。
【考案の詳細な説明】
【技術分野】
【０００１】
本考案は、電池に応用する加熱モジュールに関し、特に、電池を加熱することにより、電池の作業温度を維持し、電池の作業効率および寿命を向上させる電池に応用する加熱モジュールに関する。
【背景技術】
【０００２】
家庭用交流電源または直流電源が電源コードにより使用できない場合、電池により電気エネルギーが供給される。
【０００３】
具体的には、車両、照明器具、電動工具、電子機器、通信機器、熱交換器等において、家庭用交流電源または直流電源が電源コードにより使用できない場合、電池により電力が供給される構成を有しているものもあり、例えば、特許文献１には、電池により電力が供給される照明器具が開示されている。  
【先行技術文献】
【特許文献】
【０００４】
【特許文献１】特開２０１１−１３４５１２号公報
【考案の概要】
【考案が解決しようとする課題】
【０００５】
しかしながら、電池は、−２０℃〜−３０℃等の低温環境下においては、電気エネルギーを供給することができない。よって、寒帯地域または低温工場においては、電池を作業温度まで加熱しなければ、電池から電気エネルギーを供給することができないといった問題があった。
【０００６】
また、電池を作業温度まで加熱する際は、電池が正常な作業温度内で正常に給電を行えるよう、電池本体の温度維持が必要になる。
【０００７】
本考案の目的は、上記事情及び問題点に鑑みてなされたものであり、電池を作業温度まで加熱するとともに、電池の作業効率および寿命を向上させることのできる電池に応用する加熱モジュールを提供することにある。
【課題を解決するための手段】
【０００８】
上述の目的を達成するため、本考案の一態様の電池に応用する加熱モジュールは、電池モジュールを加熱する電池に応用する加熱モジュールであって、第１の面、および前記第１の面の反対側にある第２の面を有する加熱デバイスと、底座と、該底座の一方の面から軸方向に延伸する複数の放熱フィンとを有するとともに、前記底座の他方の面が前記第１の面に連接している放熱ユニットと、を含み、前記放熱ユニットと前記電池モジュールとの間に対流空間が規定されている。
【考案の効果】
【０００９】
本考案によれば、電池を作業温度まで加熱するとともに、電池の作業効率および寿命を向上させることのできる電池に応用する加熱モジュールを提供することができる。
【図面の簡単な説明】
【００１０】
【図１】第１実施の形態における電池に応用する加熱モジュールの分解斜視図
【図２】図１の電池に応用する加熱モジュールの組み立て図
【図３】図２の電池に応用する加熱モジュールを、電池モジュールとともに示す側面図
【図４】図３の電池に応用する加熱モジュールおよび電池モジュールの斜視図
【図５】第２実施の形態における電池に応用する加熱モジュールを示す分解斜視図
【図６】図５の電池に応用する加熱モジュールの組み立て図
【図７】図６の電池に応用する加熱モジュールを、電池モジュールとともに示す側面図
【図８】図７の電池に応用する加熱モジュールおよび電池モジュールの斜視図
【考案を実施するための形態】
【００１１】
以下、本考案の実施形態を、図面に基づいて説明する。  
（第１実施の形態）
図１は、本実施の形態における電池に応用する加熱モジュールの分解斜視図、図２は、図１の電池に応用する加熱モジュールの組み立て図、図３は、図２の電池に応用する加熱モジュールを、電池モジュールとともに示す側面図である。
【００１２】
図１〜図３に示すように、電池に応用する加熱モジュール１は、電池モジュール２外に相対的に設けられ、加熱デバイス１１および放熱ユニット１３を具備している。
【００１３】
加熱デバイス１１は、サーミスタ、石英加熱器、PTCサーミスタ、加熱集積回路のいずれか一つから構成されている。加熱デバイス１１は、第１の面１１１、および第１の面１１１の反対側にある第２の面１１２を有する。
【００１４】
放熱ユニット１３は、加熱デバイス１１が連接されるものであり、複数の放熱フィン１３０および底座１３２を有している。
【００１５】
複数の放熱フィン１３０は、底座１３２の一方の面から軸方向に延伸して構成されている。また、底座１３２の放熱フィン１３０が延伸する一方の面とは反対側の他方の面に、加熱デバイス１１の第１の面１１１が連接される。
【００１６】
底座１３２は、他方の面に吸熱部１３４を有する。吸熱部１３４は、底座１３２の第１の面１１１が付着される面に形成されている。これにより、加熱デバイス１１の第１の面１１１の熱源を吸収する。
【００１７】
尚、放熱ユニット１３は、図１〜図３においては、アルミニウム押出放熱器を例に挙げて示しているが、これに限定されるものではなく、放熱フィン１３０によって形成される放熱器であってもよい。
【００１８】
図４は、図３の電池に応用する加熱モジュールおよび電池モジュールの斜視図である。
【００１９】
図１、図４に示すように、複数の放熱フィン１３０は、放熱部１３５を規定している。放熱部１３５は、吸熱部１３４から伝導された熱源を吸収し、放熱ユニット１３と電池モジュール２との間に規定された対流空間４に放射方式で熱源を放出するのに用いられる。この放熱部１３５からの放熱により、電池モジュール２に対して加熱が行われ、電池モジュール２を作業温度下に維持することにより、電池モジュール２から給電を行わせる。
【００２０】
環境下の温度が、電池モジュール２が給電を行う際の作業温度より低かった場合、加熱デバイス１１が加熱を行い、吸熱部１３４が第１の面１１１から吸熱した熱源を、複数の放熱フィン１３０を介して放熱部１３５に伝導し、放熱部１３５が吸収した熱源を対流空間４に放射方式で放出することにより、電池モジュール２が作業温度まで加熱される。
【００２１】
これにより、電池モジュール２の給電効率が向上し、電池モジュール２の寿命が延長される。
【００２２】
尚、加熱モジュール１および電池モジュール２は、装着、分解およびメンテナンスが容易で、迅速にモジュール化することがきる。
【００２３】
（第２実施の形態）
図５は、本実施の形態における電池に応用する加熱モジュールを示す分解斜視図、図６は、図５の電池に応用する加熱モジュールの組み立て図、図７は、図６の電池に応用する加熱モジュールを、電池モジュールとともに示す側面図である。
【００２４】
図５〜図７に示すように、本実施形態の構成は、第１の実施形態の構成とほぼ同様であるため、異なる部分のみ説明を加える。
【００２５】
加熱モジュール１は、ファン３をさらに含む。ファン３は、放熱ユニット１３の放熱部１３５側の面に連接し、吸入側３１および吸入側３１の反対側に放出側３２を有している。
【００２６】
ファン３は、吸入側３１が複数の放熱フィン１３０に嵌合し、放出側３２が電池モジュール２に対向している。これにより、複数の放熱フィン１３０上の熱源が吸入側３１から強制的に電池モジュール２上に送られ、電池モジュール２が迅速に加熱される。
【００２７】
図８は、図７の電池に応用する加熱モジュールおよび電池モジュールの斜視図である。
【００２８】
図５、図７および図８に示すように、環境下の温度が、電池モジュール２が給電を行う際の作業温度より低かった場合、加熱デバイス１１が加熱を行い、吸熱部１３４が第１の面１１１から吸熱した熱源を、複数の放熱フィン１３０を介して放熱部１３５に伝導し、放熱部１３５が吸収した熱源を対流空間４に放射方式で放出するととともに、ファン３の吸入側３１が大部分の熱源を吸入し、放出側３２から電池モジュール２に対して大部分の熱源を放出することにより、強制的かつ迅速に電池モジュール２を加熱する。
【００２９】
これにより、電池モジュール２が作業温度まで加熱され、電池モジュール２の給電効率が向上し、電池モジュール２の寿命が延長される。
【００３０】
尚、本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００３１】
１…加熱モジュール
２…電池モジュール
３…ファン
４…対流空間
１１…加熱デバイス
１３…放熱ユニット
３１…吸入側
３２…放出側
１１１…第１の面
１１２…第２の面
１３０…放熱フィン
１３２…底座
１３４…吸熱部
１３５…放熱部
【図１】
0003170883.tif 000003
【図２】
0003170883.tif 000004
【図３】
0003170883.tif 000005
【図４】
0003170883.tif 000006
【図５】
0003170883.tif 000007
【図６】
0003170883.tif 000008
【図７】
0003170883.tif 000009
【図８】
0003170883.tif 000010